(57)【要約】【課題】側面が周状の植木鉢その他の被支持物を十分支持でき、被支持物を支持する操作が容易である支持具を提供する。【解決手段】支持具１は、外部材１０と内部材２０とを有し、外部材１０は、外底面部１２と側面部１４、１６とを有し、内部材２０は、内部材本体２１と、シート状部材７０、７２とを有し、内部材本体２１は、内底面部２２と、縦板部３０、３２、５０、５２と、横板部３４、５４と、接着部３８、５８とを有し、内底面部２２が外底面部１２に接着され、接着部３８、５８が側面部１４、１６にそれぞれ接着されている。側面部１４、１６を立ち上げることにより縦板部３０等が立ち上がり、内底面部２２に置かれた被支持物をシート状部材７０、７２により挟むように支持する。フラップ部４０、４２、６０、６２を内側に折り曲げることにより縦板部３０等が立ち上がった状態が維持される。【選択図】図２
2019177925.tif 000002
【特許請求の範囲】
【請求項１】
支持具であって、
外部材（１０）と内部材（２０）とを有し、
外部材は、
互いに平行な一対の辺部（１２ｂ、１２ｄ）を有する外底面部（１２）と、
外底面部の該一対の辺部における一方の辺部である背面側の辺部から第１折れ線（Ｃ１）を介して連設された第１側面部（１４）と、
外底面部の該一対の辺部における他方の辺部である正面側の辺部から第２折れ線（Ｃ２）を介して連設された第２側面部（１６）と、を有し、
外部材は、シート状のブランクにより形成され、
内部材は、シート状のブランクにより形成された内部材本体（２１）と、内部材本体に接着された第１シート状部材（７０）及び第２シート状部材（７０、７２）とを有し、
内部材本体は、
外底面部の上面に接着された内底面部（２２）と、
内底面部の背面側の辺部から第３折れ線（Ｃ１１、Ｃ１２）を介して連設された一対の第１縦板部で、左右方向に間隔を介して設けられた左第１縦板部（３０）と右第１縦板部（３２）とからなる一対の第１縦板部と、
該一対の第１縦板部の第３折れ線側とは反対側の辺部から第４折れ線（Ｃ１３、Ｃ１４）を介して連設された第１横板部（３４）と、
第１横板部の第１縦板部側とは反対側の辺部から第５折れ線（Ｃ１５）を介して連設された第１接着部で、第１側面部に接着された第１接着部（３８）と、
内底面部の正面側の辺部から第６折れ線（Ｃ２１、Ｃ２２）を介して連設された一対の第２縦板部で、左右方向に間隔を介して設けられた左第２縦板部（５０）と右第２縦板部（５２）とからなる一対の第２縦板部と、
該一対の第２縦板部の第６折れ線側とは反対側の辺部から第７折れ線（Ｃ２３、Ｃ２４）を介して連設された第２横板部（５４）と、
第２横板部の第２縦板部側とは反対側の辺部から第８折れ線（Ｃ２５）を介して連設された第２接着部で、第２側面部に接着された第２接着部（５８）と、を有し、
左第１縦板部の右第１縦板部側とは反対側の辺部から第９折れ線（Ｃ１６）を介して連設された左第１フラップ部（４０）と、
右第１縦板部の左第１縦板部側とは反対側の辺部から第１０折れ線（Ｃ１７）を介して連設された右第１フラップ部（４２）と、
左第２縦板部の右第２縦板部側とは反対側の辺部から第１１折れ線（Ｃ２６）を介して連設された左第２フラップ部（６０）と、
右第２縦板部の左第２縦板部側とは反対側の辺部から第１２折れ線（Ｃ２７）を介して連設された右第２フラップ部（６２）と、を有し、
第１横板部の第１接着部側とは反対側及び第２横板部の第２接着部側とは反対側には、被支持物を配置するための切欠部（Ｋ３４、Ｋ５４）がそれぞれ設けられ、
第１折れ線と第２折れ線と第３折れ線と第４折れ線と第５折れ線と第６折れ線と第７折れ線と第８折れ線は、互いに略平行に形成され、
第１シート状部材と第２シート状部材は、撓み変形する柔軟性を有し、
第１シート状部材は、左第１フラップ部と左第１縦板部の少なくともいずれかに接着されるとともに、右第１フラップ部と右第１縦板部の少なくともいずれかに接着されていて、左第１縦板部と右第１縦板部の間を跨ぐ状態で設けられ、
第２シート状部材は、左第２フラップ部と左第２縦板部の少なくともいずれかに接着されるとともに、右第２フラップ部と右第２縦板部の少なくともいずれかに接着されていて、左第２縦板部と右第２縦板部の間を跨ぐ状態で設けられ、
内底面部に被支持物を配置した状態で、第１側面部と第２側面部を外底面部に対して立ち上げることにより、一対の第１縦板部と一対の第２縦板部が立ち上がるとともに、第１横板部が、外底面部に対して略平行で一対の第１縦板部と第１接着部に対して折れ曲がった状態となり、第２横板部が、外底面部に対して略平行で一対の第２縦板部と第２接着部に対して折れ曲がった状態となり、第１シート状部材と第２シート状部材で被支持物を挟んだ状態で被支持物が支持され、
左第１フラップ部を左第１縦板部に対して折り曲げて左第１フラップ部を外底面部と第１横板部間に配置し、右第１フラップ部を右第１縦板部に対して折り曲げて右第１フラップ部を外底面部と第１横板部間に配置し、左第２フラップ部を左第２縦板部に対して折り曲げて左第２フラップ部を外底面部と第２横板部間に配置し、右第２フラップ部を右第２縦板部に対して折り曲げて右第２フラップ部を外底面部と第２横板部間に配置することにより、一対の第１縦板部と一対の第２縦板部が立ち上がった状態が維持されることを特徴とする支持具。
【請求項２】
第１シート状部材と第２シート状部材は、引っ張りにより伸び変形することを特徴とする請求項１に記載の支持具。
【請求項３】
支持具であって、
外部材（１０）と内部材（２０）とを有し、
外部材は、
互いに平行な一対の辺部（１２ｂ、１２ｄ）を有する外底面部（１２）と、
外底面部の該一対の辺部における一方の辺部である背面側の辺部から第１折れ線（Ｃ１）を介して連設された第１側面部（１４）と、
外底面部の該一対の辺部における他方の辺部である正面側の辺部から第２折れ線（Ｃ２）を介して連設された第２側面部（１６）と、を有し、
外部材は、シート状のブランクにより形成され、
内部材は、シート状のブランクにより形成された内部材本体（２１）と、内部材本体に接着されたシート状部材（７４）とを有し、
内部材本体は、
外底面部の上面に接着された内底面部（２２）と、
内底面部の背面側の辺部から第３折れ線（Ｃ１１、Ｃ１２）を介して連設された一対の第１縦板部で、左右方向に間隔を介して設けられた左第１縦板部（３０）と右第１縦板部（３２）とからなる一対の第１縦板部と、
該一対の第１縦板部の第３折れ線側とは反対側の辺部から第４折れ線（Ｃ１３、Ｃ１４）を介して連設された第１横板部（３４）と、
第１横板部の第１縦板部側とは反対側の辺部から第５折れ線（Ｃ１５）を介して連設された第１接着部で、第１側面部に接着された第１接着部（３８）と、
内底面部の正面側の辺部から第６折れ線（Ｃ２１、Ｃ２２）を介して連設された一対の第２縦板部で、左右方向に間隔を介して設けられた左第２縦板部（５０）と右第２縦板部（５２）とからなる一対の第２縦板部と、
該一対の第２縦板部の第６折れ線側とは反対側の辺部から第７折れ線（Ｃ２３、Ｃ２４）を介して連設された第２横板部（５４）と、
第２横板部の第２縦板部側とは反対側の辺部から第８折れ線（Ｃ２５）を介して連設された第２接着部で、第２側面部に接着された第２接着部（５８）と、を有し、
左第１縦板部の右第１縦板部側とは反対側の辺部から第９折れ線（Ｃ１６）を介して連設された左第１フラップ部（４０）と、
右第１縦板部の左第１縦板部側とは反対側の辺部から第１０折れ線（Ｃ１７）を介して連設された右第１フラップ部（４２）と、
左第２縦板部の右第２縦板部側とは反対側の辺部から第１１折れ線（Ｃ２６）を介して連設された左第２フラップ部（６０）と、
右第２縦板部の左第２縦板部側とは反対側の辺部から第１２折れ線（Ｃ２７）を介して連設された右第２フラップ部（６２）と、を有し、
第１横板部の第１接着部側とは反対側及び第２横板部の第２接着部側とは反対側には、被支持物を配置するための切欠部（Ｋ３４、Ｋ５４）がそれぞれ設けられ、
第１折れ線と第２折れ線と第３折れ線と第４折れ線と第５折れ線と第６折れ線と第７折れ線と第８折れ線は、互いに略平行に形成され、
シート状部材は、撓み変形する柔軟性を有し、
シート状部材は、左第１フラップ部と左第１縦板部の少なくともいずれかに接着され、右第１フラップ部と右第１縦板部の少なくともいずれかに接着されるとともに、左第２フラップ部と左第２縦板部の少なくともいずれかに接着され、右第２フラップ部と右第２縦板部の少なくともいずれかに接着されていて、シート状部材は、左第１縦板部と右第１縦板部の間と左第２縦板部と右第２縦板部の間を跨ぐ状態で設けられていて、
シート状部材における内底面部の上側の領域に被支持物を配置した状態で、第１側面部と第２側面部を外底面部に対して立ち上げることにより、一対の第１縦板部と一対の第２縦板部が立ち上がるとともに、第１横板部が、外底面部に対して略平行で一対の第１縦板部と第１接着部に対して折れ曲がった状態となり、第２横板部が、外底面部に対して略平行で一対の第２縦板部と第２接着部に対して折れ曲がった状態となり、シート状部材における左第１縦板部と右第１縦板部の間を跨ぐ領域である第１領域（７４Ａ）と左第２縦板部と右第２縦板部間の間を跨ぐ領域である第２領域（７４Ｂ）により被支持物を挟むとともに被支持物の下側に第１領域と第２領域間の領域（７４Ｃ）が接した状態で被支持物が支持され、
左第１フラップ部を左第１縦板部に対して折り曲げて左第１フラップ部を外底面部と第１横板部間に配置し、右第１フラップ部を右第１縦板部に対して折り曲げて右第１フラップ部を外底面部と第１横板部間に配置し、左第２フラップ部を左第２縦板部に対して折り曲げて左第２フラップ部を外底面部と第２横板部間に配置し、右第２フラップ部を右第２縦板部に対して折り曲げて右第２フラップ部を外底面部と第２横板部間に配置することにより、一対の第１縦板部と一対の第２縦板部が立ち上がった状態が維持されることを特徴とする支持具。
【請求項４】
シート状部材は、引っ張りにより伸び変形することを特徴とする請求項３に記載の支持具。
【請求項５】
第１側面部の外底面部とは反対側の領域には、把手用の開口部（Ｋ１４）又は把手用の開口を形成するための切目線（Ｋ１５−１、Ｋ１５−２、Ｋ１５−３）が形成され、第２側面部の外底面部とは反対側の領域には、把手用の開口部（Ｋ１６）又は把手用の開口を形成するための切目線（Ｋ１７−１、Ｋ１７−２、Ｋ１７−３）が形成されていることを特徴とする請求項１又は２又は３又は４に記載の支持具。
【請求項６】
左第１フラップ部において、左第１フラップ部を第１横板部と外底面部間に配置した際に、第１横板部と接する辺部である上側の辺部と、外底面部に接する辺部である下側の辺部が、第９折れ線に対して左第１フラップ部の先端側にいくほど下向きとなるように傾斜して設けられ、
右第１フラップ部において、右第１フラップ部を第１横板部と外底面部間に配置した際に、第１横板部と接する辺部である上側の辺部と、外底面部に接する辺部である下側の辺部が、第１０折れ線に対して右第１フラップ部の先端側にいくほど下向きとなるように傾斜して設けられ、
左第２フラップ部において、左第２フラップ部を第２横板部と外底面部間に配置した際に、第２横板部と接する辺部である上側の辺部と、外底面部に接する辺部である下側の辺部が、第１１折れ線に対して左第２フラップ部の先端側にいくほど下向きとなるように傾斜して設けられ、
右第２フラップ部において、右第２フラップ部を第２横板部と外底面部間に配置した際に、第２横板部と接する辺部である上側の辺部と、外底面部に接する辺部である下側の辺部が、第１２折れ線に対して右第２フラップ部の先端側にいくほど下向きとなるように傾斜して設けられていることを特徴とする請求項１又は２又は３又は４又は５に記載の支持具。
【請求項７】
第１横板部の切欠部に沿った辺部からは折れ線を介して複数の折曲げ片部（３６−１〜３６−６）が連設され、
第２横板部の切欠部に沿った辺部からは折れ線を介して複数の折曲げ片部（５６−１〜５６−６）が連設されていることを特徴とする請求項１又は２又は３又は４又は５又は６に記載の支持具。
【請求項８】
第１接着部において、第１横板部の外底面部側の面と同じ側の面が第１側面部に接着され、第１側面部を外底面部に対して立ち上げた場合に、第１接着部は、第１横板部に対して上側に折れ曲がった状態となり、
第２接着部において、第２横板部の外底面部側の面と同じ側の面が第２側面部に接着され、第２側面部を外底面部に対して立ち上げた場合に、第２接着部は、第２横板部に対して上側に折れ曲がった状態となることを特徴とする請求項１又は２又は３又は４又は５又は６又は７に記載の支持具。
【発明の詳細な説明】
【技術分野】
【０００１】
本発明は、商品（つまり、被支持物）を箱に梱包する際に商品を支持する支持具に関するものであり、特に、鉢植えにおける植木鉢を支持する支持具に関するものである。
【背景技術】
【０００２】
従来より、商品を梱包するための支持具として、特許文献１の包装用箱における緩衝片Ｂが存在する。この緩衝片Ｂにおいては、底部１８と、底部１８から連設された側部１９と、側部１９から連設された略コ字状の支持部２０と、支持部２０から連設された糊代片１１等を有し、一対の緩衝片Ｂが箱本体Ａに接着されている。すなわち、各緩衝片Ｂにおいて、底部１８が箱本体Ａの底片３上に接着され、糊代片１１が箱本体Ａの側片１の内側に接着され、糊代片７が箱本体Ａの蓋片４の内側に接着されている。そして、一対の緩衝片Ｂ間に被包装物Ｍを収納させる。
【０００３】
また、鉢植えを支持した状態で梱包するものとして、特許文献２に記載の鉢植えの梱包用支持装置が存在する。特許文献２の梱包用支持装置は、エアーバッグと、止め手段とを有し、エアーバッグは、梱包用のケース内において、収納される鉢植えの鉢とその周囲のケース側壁との間に装入するものであり、また、止め手段は、エアーバッグの動きを規制するためにケース側壁内面に設けられる凹凸面部材であり、エアー充填により膨脹するエアーバッグを前記凹凸面部材に押し付け得るように設けるとともに、このエアーバッグによって鉢植えを保持できるようにしたものである。
【先行技術文献】
【特許文献】
【０００４】
【特許文献１】実公平１−２６５７５号公報
【特許文献２】実用新案登録第２５６９９１２号公報
【発明の概要】
【発明が解決しようとする課題】
【０００５】
しかし、特許文献１に記載の包装用箱においては、被支持物を一対の緩衝片の収納空間に収納した際には、被支持物は、支持部２０における凹状の縁部や側部１９に接するが、鉢植えにおける植木鉢のように側面が周状（つまり、側面の外面の横断面が円形）の被支持物を収納して支持する場合には、支持部２０や側部１９において、被支持物に接する部分が少なく、被支持物を十分支持することができない。また、特許文献１の包装用箱においては、一対の緩衝片Ｂ間に被支持物を上から入れなければならず、被支持物を収納して支持する操作が面倒である。
【０００６】
また、特許文献２に記載の梱包用支持装置においては、エアーバッグを用いるため、側面が周状の被支持物を支持することは可能であるが、エアーバッグにエアーを充填する作業が必要になり、植木鉢を支持するための操作が面倒であるという問題がある。
【０００７】
そこで、本発明は、側面が周状の植木鉢その他の被支持物を支持する支持具において、該被支持物を十分支持することができるとともに、被支持物を支持するための操作が容易である支持具を提供することを目的とするものである。
【課題を解決するための手段】
【０００８】
本発明は上記問題点を解決するために創作されたものであって、第１には、支持具であって、外部材（１０）と内部材（２０）とを有し、外部材は、互いに平行な一対の辺部（１２ｂ、１２ｄ）を有する外底面部（１２）と、外底面部の該一対の辺部における一方の辺部である背面側の辺部から第１折れ線（Ｃ１）を介して連設された第１側面部（１４）と、外底面部の該一対の辺部における他方の辺部である正面側の辺部から第２折れ線（Ｃ２）を介して連設された第２側面部（１６）と、を有し、外部材は、シート状のブランクにより形成され、内部材は、シート状のブランクにより形成された内部材本体（２１）と、内部材本体に接着された第１シート状部材（７０）及び第２シート状部材（７０、７２）とを有し、内部材本体は、外底面部の上面に接着された内底面部（２２）と、内底面部の背面側の辺部から第３折れ線（Ｃ１１、Ｃ１２）を介して連設された一対の第１縦板部で、左右方向に間隔を介して設けられた左第１縦板部（３０）と右第１縦板部（３２）とからなる一対の第１縦板部と、該一対の第１縦板部の第３折れ線側とは反対側の辺部から第４折れ線（Ｃ１３、Ｃ１４）を介して連設された第１横板部（３４）と、第１横板部の第１縦板部側とは反対側の辺部から第５折れ線（Ｃ１５）を介して連設された第１接着部で、第１側面部に接着された第１接着部（３８）と、内底面部の正面側の辺部から第６折れ線（Ｃ２１、Ｃ２２）を介して連設された一対の第２縦板部で、左右方向に間隔を介して設けられた左第２縦板部（５０）と右第２縦板部（５２）とからなる一対の第２縦板部と、該一対の第２縦板部の第６折れ線側とは反対側の辺部から第７折れ線（Ｃ２３、Ｃ２４）を介して連設された第２横板部（５４）と、第２横板部の第２縦板部側とは反対側の辺部から第８折れ線（Ｃ２５）を介して連設された第２接着部で、第２側面部に接着された第２接着部（５８）と、を有し、左第１縦板部の右第１縦板部側とは反対側の辺部から第９折れ線（Ｃ１６）を介して連設された左第１フラップ部（４０）と、右第１縦板部の左第１縦板部側とは反対側の辺部から第１０折れ線（Ｃ１７）を介して連設された右第１フラップ部（４２）と、左第２縦板部の右第２縦板部側とは反対側の辺部から第１１折れ線（Ｃ２６）を介して連設された左第２フラップ部（６０）と、右第２縦板部の左第２縦板部側とは反対側の辺部から第１２折れ線（Ｃ２７）を介して連設された右第２フラップ部（６２）と、を有し、第１横板部の第１接着部側とは反対側及び第２横板部の第２接着部側とは反対側には、被支持物を配置するための切欠部（Ｋ３４、Ｋ５４）がそれぞれ設けられ、第１折れ線と第２折れ線と第３折れ線と第４折れ線と第５折れ線と第６折れ線と第７折れ線と第８折れ線は、互いに略平行に形成され、第１シート状部材と第２シート状部材は、撓み変形する柔軟性を有し、第１シート状部材は、左第１フラップ部と左第１縦板部の少なくともいずれかに接着されるとともに、右第１フラップ部と右第１縦板部の少なくともいずれかに接着されていて、左第１縦板部と右第１縦板部の間を跨ぐ状態で設けられ、第２シート状部材は、左第２フラップ部と左第２縦板部の少なくともいずれかに接着されるとともに、右第２フラップ部と右第２縦板部の少なくともいずれかに接着されていて、左第２縦板部と右第２縦板部の間を跨ぐ状態で設けられ、内底面部に被支持物を配置した状態で、第１側面部と第２側面部を外底面部に対して立ち上げることにより、一対の第１縦板部と一対の第２縦板部が立ち上がるとともに、第１横板部が、外底面部に対して略平行で一対の第１縦板部と第１接着部に対して折れ曲がった状態となり、第２横板部が、外底面部に対して略平行で一対の第２縦板部と第２接着部に対して折れ曲がった状態となり、第１シート状部材と第２シート状部材で被支持物を挟んだ状態で被支持物が支持され、左第１フラップ部を左第１縦板部に対して折り曲げて左第１フラップ部を外底面部と第１横板部間に配置し、右第１フラップ部を右第１縦板部に対して折り曲げて右第１フラップ部を外底面部と第１横板部間に配置し、左第２フラップ部を左第２縦板部に対して折り曲げて左第２フラップ部を外底面部と第２横板部間に配置し、右第２フラップ部を右第２縦板部に対して折り曲げて右第２フラップ部を外底面部と第２横板部間に配置することにより、一対の第１縦板部と一対の第２縦板部が立ち上がった状態が維持されることを特徴とする。
【０００９】
第１の構成の支持具によれば、第１シート状部材と第２シート状部材により被支持物を挟んだ状態で支持し、第１シート状部材と第２シート状部材は撓み変形する柔軟性を有しているので、第１シート状部材及び第２シート状部材と被支持物の側面との接触面積を大きくでき、被支持物を十分支持することができる。さらに、被支持物を内底面部上に配置した状態で第１側面部と第２側面部を立ち上げるという操作のみで第１シート状部材と第２シート状部材により被支持物を支持できるので、被支持物を支持する操作が容易である。
【００１０】
また、第２には、上記第１の構成において、第１シート状部材と第２シート状部材は、引っ張りにより伸び変形することを特徴とする。よって、第１シート状部材と第２シート状部材が被支持物と十分密着できて被支持物を十分支持することができるとともに、複数の大きさの被支持物に対応することができる。
【００１１】
また、第３には、支持具であって、外部材（１０）と内部材（２０）とを有し、外部材は、互いに平行な一対の辺部（１２ｂ、１２ｄ）を有する外底面部（１２）と、外底面部の該一対の辺部における一方の辺部である背面側の辺部から第１折れ線（Ｃ１）を介して連設された第１側面部（１４）と、外底面部の該一対の辺部における他方の辺部である正面側の辺部から第２折れ線（Ｃ２）を介して連設された第２側面部（１６）と、を有し、外部材は、シート状のブランクにより形成され、内部材は、シート状のブランクにより形成された内部材本体（２１）と、内部材本体に接着されたシート状部材（７４）とを有し、内部材本体は、外底面部の上面に接着された内底面部（２２）と、内底面部の背面側の辺部から第３折れ線（Ｃ１１、Ｃ１２）を介して連設された一対の第１縦板部で、左右方向に間隔を介して設けられた左第１縦板部（３０）と右第１縦板部（３２）とからなる一対の第１縦板部と、該一対の第１縦板部の第３折れ線側とは反対側の辺部から第４折れ線（Ｃ１３、Ｃ１４）を介して連設された第１横板部（３４）と、第１横板部の第１縦板部側とは反対側の辺部から第５折れ線（Ｃ１５）を介して連設された第１接着部で、第１側面部に接着された第１接着部（３８）と、内底面部の正面側の辺部から第６折れ線（Ｃ２１、Ｃ２２）を介して連設された一対の第２縦板部で、左右方向に間隔を介して設けられた左第２縦板部（５０）と右第２縦板部（５２）とからなる一対の第２縦板部と、該一対の第２縦板部の第６折れ線側とは反対側の辺部から第７折れ線（Ｃ２３、Ｃ２４）を介して連設された第２横板部（５４）と、第２横板部の第２縦板部側とは反対側の辺部から第８折れ線（Ｃ２５）を介して連設された第２接着部で、第２側面部に接着された第２接着部（５８）と、を有し、左第１縦板部の右第１縦板部側とは反対側の辺部から第９折れ線（Ｃ１６）を介して連設された左第１フラップ部（４０）と、右第１縦板部の左第１縦板部側とは反対側の辺部から第１０折れ線（Ｃ１７）を介して連設された右第１フラップ部（４２）と、左第２縦板部の右第２縦板部側とは反対側の辺部から第１１折れ線（Ｃ２６）を介して連設された左第２フラップ部（６０）と、右第２縦板部の左第２縦板部側とは反対側の辺部から第１２折れ線（Ｃ２７）を介して連設された右第２フラップ部（６２）と、を有し、第１横板部の第１接着部側とは反対側及び第２横板部の第２接着部側とは反対側には、被支持物を配置するための切欠部（Ｋ３４、Ｋ５４）がそれぞれ設けられ、第１折れ線と第２折れ線と第３折れ線と第４折れ線と第５折れ線と第６折れ線と第７折れ線と第８折れ線は、互いに略平行に形成され、シート状部材は、撓み変形する柔軟性を有し、シート状部材は、左第１フラップ部と左第１縦板部の少なくともいずれかに接着され、右第１フラップ部と右第１縦板部の少なくともいずれかに接着されるとともに、左第２フラップ部と左第２縦板部の少なくともいずれかに接着され、右第２フラップ部と右第２縦板部の少なくともいずれかに接着されていて、シート状部材は、左第１縦板部と右第１縦板部の間と左第２縦板部と右第２縦板部の間を跨ぐ状態で設けられていて、シート状部材における内底面部の上側の領域に被支持物を配置した状態で、第１側面部と第２側面部を外底面部に対して立ち上げることにより、一対の第１縦板部と一対の第２縦板部が立ち上がるとともに、第１横板部が、外底面部に対して略平行で一対の第１縦板部と第１接着部に対して折れ曲がった状態となり、第２横板部が、外底面部に対して略平行で一対の第２縦板部と第２接着部に対して折れ曲がった状態となり、シート状部材における左第１縦板部と右第１縦板部の間を跨ぐ領域である第１領域（７４Ａ）と左第２縦板部と右第２縦板部間の間を跨ぐ領域である第２領域（７４Ｂ）により被支持物を挟むとともに被支持物の下側に第１領域と第２領域間の領域（７４Ｃ）が接した状態で被支持物が支持され、左第１フラップ部を左第１縦板部に対して折り曲げて左第１フラップ部を外底面部と第１横板部間に配置し、右第１フラップ部を右第１縦板部に対して折り曲げて右第１フラップ部を外底面部と第１横板部間に配置し、左第２フラップ部を左第２縦板部に対して折り曲げて左第２フラップ部を外底面部と第２横板部間に配置し、右第２フラップ部を右第２縦板部に対して折り曲げて右第２フラップ部を外底面部と第２横板部間に配置することにより、一対の第１縦板部と一対の第２縦板部が立ち上がった状態が維持されることを特徴とする。
【００１２】
第３の構成の支持具によれば、シート状部材により被支持物を挟んだ状態で支持し、シート状部材は撓み変形する柔軟性を有しているので、シート状部材と被支持物の側面との接触面積を大きくでき、被支持物を十分支持することができる。さらに、被支持物をシート状部材における内底面部上の領域に配置した状態で第１側面部と第２側面部を立ち上げるという操作のみでシート状部材により被支持物を支持できるので、被支持物を支持する操作が容易である。
【００１３】
また、第４には、上記第３の構成において、シート状部材は、引っ張りにより伸び変形することを特徴とする。よって、シート状部材が被支持物と十分密着できて被支持物を十分支持することができるとともに、複数の大きさの被支持物に対応することができる。
【００１４】
また、第５には、上記第１から第４までのいずれかの構成において、第１側面部の外底面部とは反対側の領域には、把手用の開口部（Ｋ１４）又は把手用の開口を形成するための切目線（Ｋ１５−１、Ｋ１５−２、Ｋ１５−３）が形成され、第２側面部の外底面部とは反対側の領域には、把手用の開口部（Ｋ１６）又は把手用の開口を形成するための切目線（Ｋ１７−１、Ｋ１７−２、Ｋ１７−３）が形成されていることを特徴とする。よって、被支持物を支持した状態の支持具を持ち上げて箱体に容易に収納することができる。
【００１５】
また、第６には、上記第１から第５までのいずれかの構成において、左第１フラップ部において、左第１フラップ部を第１横板部と外底面部間に配置した際に、第１横板部と接する辺部である上側の辺部と、外底面部に接する辺部である下側の辺部が、第９折れ線に対して左第１フラップ部の先端側にいくほど下向きとなるように傾斜して設けられ、右第１フラップ部において、右第１フラップ部を第１横板部と外底面部間に配置した際に、第１横板部と接する辺部である上側の辺部と、外底面部に接する辺部である下側の辺部が、第１０折れ線に対して右第１フラップ部の先端側にいくほど下向きとなるように傾斜して設けられ、左第２フラップ部において、左第２フラップ部を第２横板部と外底面部間に配置した際に、第２横板部と接する辺部である上側の辺部と、外底面部に接する辺部である下側の辺部が、第１１折れ線に対して左第２フラップ部の先端側にいくほど下向きとなるように傾斜して設けられ、右第２フラップ部において、右第２フラップ部を第２横板部と外底面部間に配置した際に、第２横板部と接する辺部である上側の辺部と、外底面部に接する辺部である下側の辺部が、第１２折れ線に対して右第２フラップ部の先端側にいくほど下向きとなるように傾斜して設けられていることを特徴とする。
【００１６】
よって、一対の第１縦板部と一対の第２縦板部の立ち上がった状態が維持されている状態で、第１縦板部が、第１縦板部が連設されたフラップ部とは反対側に傾斜しやすいので、第１シート状部材を強く被支持物に押し当てて密着させ、第１シート状部材により被支持物を強く支持することができ、同様に、第２縦板部が、第２縦板部が連設されたフラップ部とは反対側に傾斜しやすいので、第２シート状部材を強く被支持物に押し当てて密着させ、第２シート状部材により被支持物を強く支持することができる。
【００１７】
また、第７には、上記第１から第６までのいずれかの構成において、第１横板部の切欠部に沿った辺部からは折れ線を介して複数の折曲げ片部（３６−１〜３６−６）が連設され、第２横板部の切欠部に沿った辺部からは折れ線を介して複数の折曲げ片部（５６−１〜５６−６）が連設されていることを特徴とする。よって、被支持物を支持した状態で折曲げ片部が被支持物又は被支持物に接したシート状部材（第１シート状部材、第２シート状部材及びシート状部材）に接する状態では、折曲げ片部によっても被支持物を支持することができ、折曲げ片部による緩衝効果を得ることができる。
【００１８】
また、第８には、上記第１から第７までのいずれかの構成において、第１接着部において、第１横板部の外底面部側の面と同じ側の面が第１側面部に接着され、第１側面部を外底面部に対して立ち上げた場合に、第１接着部は、第１横板部に対して上側に折れ曲がった状態となり、第２接着部において、第２横板部の外底面部側の面と同じ側の面が第２側面部に接着され、第２側面部を外底面部に対して立ち上げた場合に、第２接着部は、第２横板部に対して上側に折れ曲がった状態となることを特徴とする。
【００１９】
よって、外部材を平板状に展開した場合には、内部材の平板状に展開した状態となるので、支持具の厚みを薄くすることができ、省スペースを図ることができる。
【発明の効果】
【００２０】
本発明に基づく請求項１に記載の支持具によれば、第１シート状部材と第２シート状部材により被支持物を挟んだ状態で支持し、第１シート状部材と第２シート状部材は撓み変形する柔軟性を有しているので、第１シート状部材及び第２シート状部材と被支持物の側面との接触面積を大きくでき、被支持物を十分支持することができる。さらに、被支持物を内底面部上に配置した状態で第１側面部と第２側面部を立ち上げるという操作のみで第１シート状部材と第２シート状部材により被支持物を支持できるので、被支持物を支持する操作が容易である。
【００２１】
また、本発明に基づく請求項３に記載の支持具によれば、シート状部材により被支持物を挟んだ状態で支持し、シート状部材は撓み変形する柔軟性を有しているので、シート状部材と被支持物の側面との接触面積を大きくでき、被支持物を十分支持することができる。さらに、被支持物をシート状部材における内底面部上の領域に配置した状態で第１側面部と第２側面部を立ち上げるという操作のみでシート状部材により被支持物を支持できるので、被支持物を支持する操作が容易である。
【図面の簡単な説明】
【００２２】
【図１】支持具の斜視図である。
【図２】支持具の平面図である。
【図３】支持具の底面図である。
【図４】支持具の組立て状態における斜視図である。
【図５】外部材の平面図である。
【図６】内部材の平面図である。
【図７】図６の一部を示す平面図である。
【図８】図６の一部を示す平面図である。
【図９】支持具の使用方法を示す斜視図である。
【図１０】支持具の使用方法を示す斜視図である。
【図１１】支持具の使用方法を示す斜視図である。
【図１２】支持具の使用方法を示す斜視図である。
【図１３】図１２においてＰの方向から見た側面図である。
【図１４】図１２におけるＡ−Ａ線破断要部断面図である。
【図１５】図１４の要部拡大図である。
【図１６】図１４の要部拡大図である。
【図１７】図１３におけるＢ−Ｂ線破断断面図である。
【図１８】図１２において、鉢植えの土と植物を省略した状態を示す平面図である。
【図１９】支持具が組立て状態において植木鉢を支持する場合の他の例を示す要部断面図である。
【図２０】支持具が組立て状態において植木鉢を支持する場合の他の例を示す要部断面図である。
【図２１】支持具が組立て状態において植木鉢を支持する場合の他の例を示す断面図である。
【図２２】支持具の使用方法を示す斜視図である。
【図２３】植木鉢の大きさが図１８の場合よりも小さい場合を示す平面図であり、鉢植えの土と植物を省略した状態を示す平面図である。
【図２４】支持具の他の例を示す平面図である。
【図２５】支持具の他の例を示す平面図で、領域７４Ａと領域７４Ｂと領域７４Ｃを示すための平面図である。
【図２６】図２４に示す支持具において、支持具が組立て状態において植木鉢を支持する場合を示す要部断面図である。
【図２７】図２４に示す支持具において、支持具が組立て状態において植木鉢を支持する場合を示す要部断面図である。
【図２８】外部材における側面部の他の例を示す要部平面図である。
【発明を実施するための形態】
【００２３】
本発明においては、側面が周状の植木鉢を支持する支持具において、該植木鉢を十分支持することができるとともに、複数の大きさの植木鉢にも対応することができ、さらには、植木鉢を支持するための操作が容易である支持具を提供するという目的を以下のようにして実現した。
【００２４】
本発明に基づく支持具１は、図１〜図８に示すように構成され、外部材１０と内部材２０とから構成されている。
【００２５】
外部材１０は、１枚のシート状のブランク（具体的には、段ボール製（例えば、薄型段ボール製）のブランクであり、厚紙製のブランク等の他の紙製のブランクでもよい）により形成されている。つまり、外部材１０は、段ボール材（特に、両面段ボール材）等の紙製であり、その展開状態では、図５に示すように構成され、段ボールにおける断面略波形形状の中芯の段の方向は、図５における円内に示す方向となっていて、折れ線Ｃ１、Ｃ２とは直角となっている（なお、段ボールにおける中芯の段の方向はこれには限られない）。
【００２６】
ここで、外部材１０は、図５に示すように、外底面部１２と、外底面部１２から折れ線（第１折れ線）Ｃ１を介して連設された側面部１４と、外底面部１２から折れ線（第２折れ線）Ｃ２を介して連設された側面部１６とを有している。折れ線Ｃ１と折れ線Ｃ２は互いに平行となっている。
【００２７】
外底面部１２は、支持具１における外側の底面を構成するものであり、外底面部１２は、方形状の板状を呈し、具体的には、前後方向に縦長の長方形状を呈している。つまり、外底面部１２は、左側面側の直線状の辺部１２ａと、背面側の直線状の辺部１２ｂと、右側面側の直線状の辺部１２ｃと、正面側の直線状の辺部１２ｄとを有し、辺部１２ａと辺部１２ｃは平行に形成され、辺部１２ｂと辺部１２ｄは平行に形成されている。
【００２８】
また、側面部１４は、支持具１における背面側の側面を構成するものであり、側面部１４は、外底面部１２の辺部１２ｂから折れ線Ｃ１を介して連設され、方形状における先端側の２つの角部に円弧状のアールを形成した形状を呈している。つまり、側面部１４は、左側面側の直線状の辺部１４ａと、辺部１４ａから連設された円弧状の辺部１４ｂと、辺部１４ｂから連設された直線状の辺部１４ｃと、辺部１４ｃから連設された円弧状の辺部１４ｄと、辺部１４ｄから連設された直線状の辺部１４ｅと、折れ線Ｃ１に沿った辺部とを有している。辺部１４ａと辺部１４ｅは互いに平行であり、辺部１４ｃは、辺部１４ａ、１４ｃの方向に対して直角の方向となっている。また、側面部１４の先端側（折れ線Ｃ１（外底面部１２としてもよい）とは反対側）の領域には、把手を構成するための横長帯状の開口部Ｋ１４が形成されている。つまり、側面部１４における辺部１４ｃと開口部Ｋ１４の間の領域は把手部１４Ｔが構成される。すなわち、開口部Ｋ１４は、把手用の開口部である。
【００２９】
また、側面部１６は、支持具１における正面側の側面を構成するものであり、側面部１６は、外底面部１２の辺部１２ｄから折れ線Ｃ２を介して連設され、方形状における先端側の２つの角部に円弧状のアールを形成した形状を呈している。つまり、側面部１６は、左側面側の直線状の辺部１６ａと、辺部１６ａから連設された円弧状の辺部１６ｂと、辺部１６ｂから連設された直線状の辺部１６ｃと、辺部１６ｃから連設された円弧状の辺部１６ｄと、辺部１６ｄから連設された直線状の辺部１６ｅと、折れ線Ｃ２に沿った辺部とを有している。辺部１６ａと辺部１６ｅは互いに平行であり、辺部１６ｃは、辺部１６ａ、１６ｃの方向に対して直角の方向となっている。また、側面部１６の先端側（折れ線Ｃ２（外底面部１２としてもよい）とは反対側）の領域には、把手を構成するための横長帯状の開口部Ｋ１６が形成されている。つまり、側面部１６における辺部１６ｃと開口部Ｋ１６の間の領域は把手部１６Ｔが構成される。すなわち、開口部Ｋ１６は、把手用の開口部である。
【００３０】
すなわち、外部材１０は、その展開状態において、左右方向の中心線を介して前後対称に形成され、辺部１２ａと辺部１４ａと辺部１６ａは、前後方向の１つの直線上に形成され、辺部１２ｃと辺部１４ｅと辺部１６ｅは、前後方向の１つの直線上に形成されている。
【００３１】
次に、内部材２０は、図６〜図８に示すように構成され、内部材２０は、内部材本体２１と、内部材本体２１に接着された一対のシート状部材（シート状部材部、シート状部材としてもよい）７０、７２とを有している。
【００３２】
ここで、内部材本体２１は、１枚のシート状のブランク（具体的には、段ボール製（例えば、薄型段ボール製）のブランクであり、厚紙製のブランク等の他の紙製のブランクでもよい）により形成されている。つまり、内部材本体２１は、段ボール材（特に、両面段ボール材）等の紙製であり、その展開状態では、図６に示すように構成され、段ボールにおける断面略波形形状の中芯の段の方向は、図６における円内に示す方向となっていて、折れ線Ｃ１１、Ｃ１３、Ｃ１５、Ｃ２３、Ｃ２５とは直角となっている（なお、段ボールにおける中芯の段の方向はこれには限られない）。
【００３３】
ここで、内部材本体２１は、内底面部２２と、内底面部２２から折れ線（第３折れ線）Ｃ１１を介して連設された縦板部３０と、内底面部２２から折れ線（第３折れ線）Ｃ１２を介して連設された縦板部３２と、縦板部３０から折れ線（第４折れ線）Ｃ１３を介して連設されるとともに、縦板部３２から折れ線（第４折れ線）Ｃ１４を介して連設された横板部３４と、横板部３４から折れ線を介して連設された折曲げ片部群３６と、横板部３４から折れ線（第５折れ線）Ｃ１５を介して連設された接着部３８と、縦板部３０から折れ線（第９折れ線）Ｃ１６を介して連設されたフラップ部４０と、縦板部３２から折れ線（第１０折れ線）Ｃ１７を介して連設されたフラップ部４２と、内底面部２２から折れ線（第６折れ線）Ｃ２１を介して連設された縦板部５０と、内底面部２２から折れ線（第６折れ線）Ｃ２２を介して連設された縦板部５２と、縦板部５０から折れ線（第７折れ線）Ｃ２３を介して連設されるとともに、縦板部５２から折れ線（第７折れ線）Ｃ２４を介して連設された横板部５４と、横板部５４から折れ線を介して連設された折曲げ片部群５６と、横板部５４から折れ線（第８折れ線）Ｃ２５を介して連設された接着部５８と、縦板部５０から折れ線（第１１折れ線）Ｃ２６を介して連設されたフラップ部６０と、縦板部５２から折れ線（第１２折れ線）Ｃ２７を介して連設されたフラップ部６２とを有している。
【００３４】
内底面部２２は、支持具１における内側の底面を構成するものであり、内底面部２２は、前後方向に直線状に形成された辺部２２ａと、辺部２２ａから連設され左右方向に直線状に形成された辺部２２ｂと、辺部２２ｂから連設され小さく略円弧状に形成された辺部２２ｃと、辺部２２ｃから連設され大きく略円弧状に形成された辺部２２ｄと、辺部２２ｄから連設され小さく略円弧状に形成された辺部２２ｅと、辺部２２ｅから連設され左右方向に直線状に形成された辺部２２ｆと、辺部２２ｆから連設され前後方向に直線状に形成された辺部２２ｇと、辺部２２ｇから連設され左右方向に直線状に形成された辺部２２ｈと、辺部２２ｈから連設され小さく略円弧状に形成された辺部２２ｉと、辺部２２ｉから連設され大きく略円弧状に形成された辺部２２ｊと、辺部２２ｊから連設され小さく略円弧状に形成された辺部２２ｋと、辺部２２ｋから連設され左右方向に直線状に形成された辺部２２ａまで形成された辺部２２ｌとを有している。
【００３５】
辺部２２ｃ、２２ｅ、２２ｉ、２２ｋは凹状に形成されていて、辺部２２ｄ、２２ｊは、外側に膨出した突状を呈しており、辺部２２ｄ、２２ｊの円弧の径は、辺部２２ｃ、２２ｅ、２２ｉ、２２ｋの円弧の径よりも大きく形成されている。
【００３６】
また、辺部２２ｂと辺部２２ｆは同一直線上に形成され、辺部２２ｈと辺部２２ｌは同一直線上に形成され、辺部２２ｂと辺部２２ｌは互いに平行に形成され、辺部２２ｆと辺部ｈは、互いに平行に形成されている。
【００３７】
辺部２２ｃと辺部２２ｄと辺部２２ｅと辺部２２ｉと辺部２２ｊと辺部２２ｋにより形成された略レンズ形状（円形に近いレンズ形状）を呈する部分が内底面部本体２４となり、辺部２２ａと辺部２２ｂと辺部２２ｌにより形成された方形状の部分が接続部２６となり、辺部２２ｆと辺部２２ｇと辺部２２ｈにより形成された方形状の部分が接続部２８となり、内底面部２２は、内底面部本体２４と、接続部２６と、接続部２８に区画されている。接続部２６と内底面部本体２４の境界は、辺部２２ｂの右側面側の端部と辺部２２ｌの右側面側の端部を結ぶ直線上にあり、接続部２８と内底面部本体２４の境界は、辺部２２ｆの左側面側の端部と辺部２２ｈの左側面側の端部を結ぶ直線上にある。支持具１の使用時には、内底面部本体２４には、植木鉢が載置される。
【００３８】
なお、内底面部２２は、左右方向の中心線を介して前後対称に形成されているとともに、前後方向の中心線を介して左右対称に形成されている。
【００３９】
また、縦板部（左第１縦板部）３０は、内底面部２２の接続部２６の背面側の辺部（つまり、辺部２２ｂ）から折れ線Ｃ１１を介して連設され、方形状（具体的には、長方形状）を呈している。また、縦板部（右第１縦板部）３２は、内底面部２２の接続部２８の背面側の辺部（つまり、辺部２２ｆ）から折れ線Ｃ１２を介して連設され、方形状（具体的には、長方形状）を呈している。この縦板部３０、３２は、植木鉢を支持した状態では、内底面部２２に対して立設した状態となる。
【００４０】
また、横板部（第１横板部）３４は、縦板部３０の内底面部２２側の辺部とは反対側の辺部から折れ線Ｃ１３を介して連設されるとともに、縦板部３２の内底面部２２側の辺部とは反対側の辺部から折れ線Ｃ１４を介して連設されている。横板部３４は、長方形状に略半円状を切欠きを形成した形状を呈し、折れ線Ｃ１３に沿った辺部３４ａと、辺部３４ａから連設され辺部３４ａに対して直角をなす直線状を呈する辺部３４ｂと、辺部３４ｂから連設され右側面側に湾曲した略円弧状を呈する辺部３４ｃと、辺部３４ｃから連設され直線状を呈する辺部３４ｄと、辺部３４ｄから連設され直線状を呈する辺部３４ｅと、辺部３４ｅから連設され直線状を呈する辺部３４ｆと、辺部３４ｆから連設され直線状を呈する辺部３４ｇと、辺部３４ｇから連設され直線状を呈する辺部３４ｈと、辺部３４ｈから連設され直線状を呈する辺部３４ｉと、辺部３４ｉから連設され略円弧状を呈する辺部３４ｊと、辺部３４ｊから連設され前後方向に伸びた直線状を呈する辺部３４ｋと、辺部３４ｋから連設され辺部３４ｋに対して直角をなし折れ線Ｃ１４に沿った直線状をなす辺部３４ｌと、辺部３４ｌから連設され辺部３４ｌに対して直角をなす直線状の辺部３４ｍと、辺部３４ｍから連設され辺部３４ｍに対して直角をなす直線状の辺部３４ｎと、辺部３４ｎから連設され辺部３４ｎに対して直角をなす直線状の辺部３４ｏとを有している。
【００４１】
横板部３４には、接着部３８と反対側に辺部３４ｂ〜３４ｋにより形成された切欠部Ｋ３４が設けられている。この切欠部Ｋ３４は、被収納物としての植木鉢１０２を配置するための切欠部である。
【００４２】
辺部３４ｍと辺部３４ｏは、互いに平行に形成され、辺部３４ａ、３４ｌは、辺部３４ｎと平行に形成されている。内部材本体２１の展開状態において、辺部３４ｍは、折れ線Ｃ１７の延長線上に形成され、辺部３４ｏは、折れ線Ｃ１６の延長線上に形成されている。
【００４３】
また、辺部３４ｄ〜３４ｉの６つの辺部により略円弧状に形成され、辺部３４ｄ〜３４ｉの各辺部の両側の端部は、円弧上に配置されている。また、辺部３４ｄ〜３４ｉの６つの辺部により形成される辺部は、辺部５４ｄ〜５４ｉ（後述）の６つの辺部により形成される辺部とともに、支持具１を組み立てた際に、１つの略円形の形状の一部をなすようになっている。つまり、辺部３４ｄ〜３４ｉに沿った辺部と辺部５４ｄ〜５４ｉに沿った辺部は、支持具１を組み立てた際には、１つの円形又は略円形に沿って配置される構成となり、支持具１を組み立てた状態（図４参照）において、内底面部本体２４の中心から辺部３４ｄ〜３４ｉの各辺までの距離と、内底面部本体２４の中心から辺部５４ｄ〜５４ｉの各辺までの距離は、略同一となる。なお、辺部３４ｄ〜３４ｉにおける各辺部は略同一の長さとなっている。
【００４４】
また、折曲げ片部群３６は、辺部３４ｄから折れ線を介して連設された折曲げ片部３６−１と、辺部３４ｅから折れ線を介して連設された折曲げ片部３６−２と、辺部３４ｆから折れ線を介して連設された折曲げ片部３６−３と、辺部３４ｇから折れ線を介して連設された折曲げ片部３６−４と、辺部３４ｈから折れ線を介して連設された折曲げ片部３６−５と、辺部３４ｉから折れ線を介して連設された折曲げ片部３６−６とを有し、折曲げ片部３６−１〜３６−６における各折曲げ片部は、台形形状を呈し、各折曲げ片部において、横板部３４側の辺部（つまり、辺部３４ｄ〜３４ｉに沿った直線状の辺部）と先端側の辺部（該横板部３４側の辺部とは反対側の直線状の辺部）は、平行に形成され、該先端側の辺部は、全体で略円弧状に形成されている。折曲げ片部３６−１〜３６−６における隣接する折曲げ片部は、直線状の切込みを介して隣接している。各切込みの延長線は一点で交差する。なお、折曲げ片部３６−１の正面側の辺部と折曲げ片部３６−６の正面側の辺部は、同一直線上に形成され、これらの辺部の方向は、左右方向（辺部３４ｂ、３４ｋと直角の方向）となっている。
【００４５】
また、接着部（第１接着部）３８は、横板部３４の背面側の辺部３４ｎから折れ線Ｃ１５を介して連設され、略長方形状を呈している。すなわち、接着部３８は、折れ線Ｃ１５に沿った辺部３８ａと、辺部３８ａと直角の辺部３８ｂ、３８ｄと、辺部３８ａと平行な辺部３８ｃとを有している。なお、接着部３８の左右両側には、方形状の切欠部と該切欠部から連設された切込みが設けられているが、これは、外部材１０との位置関係を確認するために設けられたものである。接着部３８の先端側の２つの角部には、アールが形成されている。
【００４６】
また、フラップ部（左第１フラップ部）４０は、縦板部３０の左側面側の辺部から折れ線Ｃ１６を介して連設され、略平行四辺形を呈している。つまり、フラップ部４０は、折れ線Ｃ１６に沿った辺部である辺部４０ａと、辺部４０ａの内底面部２２側の端部から連設された直線状の辺部４０ｂと、辺部４０ａの横板部３４側の端部から連設された直線状の辺部４０ｄと、フラップ部４０の先端側の辺部であり直線状の辺部４０ｃとを有し、辺部４０ａと辺部４０ｃは互いに平行であり、辺部４０ｂと辺部４０ｄは互いに平行になっている。フラップ部４０の先端側の２つの角部にはアールが形成されている。つまり、辺部４０ｂと辺部４０ｃ間と辺部４０ｄと辺部４０ｃ間には、略円弧状の辺部が設けられている。なお、辺部４０ｂ、４０ｄは、フラップ部４０の先端側にいくほど内底面部２２側に傾斜して形成され（つまり、支持具１の組立て状態（特に、フラップ部４０を外底面部１２と横板部３４間の位置に配置した状態）では、辺部４０ｂ、４０ｄは、フラップ部４０の先端側にいくほど下方（つまり、下向き）となるように傾斜している）、これにより、支持具１の組立て状態において、フラップ部４０を外底面部１２と横板部３４間の位置に配置した際に、縦板部３０がフラップ部４０とは反対側（つまり、縦板部５０側）に傾斜しやすく、これにより、シート状部材７０を強く植木鉢に押し当てて密着させ、シート状部材７０により植木鉢を強く支持することができる。
【００４７】
また、フラップ部（右第１フラップ部）４２は、縦板部３２の右側面側の辺部から折れ線Ｃ１７を介して連設され、略平行四辺形を呈している。つまり、フラップ部４２は、折れ線Ｃ１７に沿った辺部である辺部４２ａと、辺部４２ａの内底面部２２側の端部から連設された直線状の辺部４２ｂと、辺部４２ａの横板部３４側の端部から連設された直線状の辺部４２ｄと、フラップ部４２の先端側の辺部であり直線状の辺部４２ｃとを有し、辺部４２ａと辺部４２ｃは互いに平行であり、辺部４２ｂと辺部４２ｄは互いに平行になっている。フラップ部４２の先端側の２つの角部にはアールが形成されている。つまり、辺部４２ｂと辺部４２ｃ間と辺部４２ｄと辺部４２ｃ間には、略円弧状の辺部が設けられている。なお、辺部４２ｂ、４２ｄは、フラップ部４２の先端側にいくほど内底面部２２側に傾斜して形成され（つまり、支持具１の組立て状態（特に、フラップ部４２を外底面部１２と横板部３４間の位置に配置した状態）では、辺部４２ｂ、４２ｄは、フラップ部４２の先端側にいくほど下方（つまり、下向き）となるように傾斜している）、これにより、支持具１の組立て状態において、フラップ部４２を外底面部１２と横板部３４間の位置に配置した際に、縦板部３２がフラップ部４２とは反対側（つまり、縦板部５２側）に傾斜しやすく、これにより、シート状部材７０を強く植木鉢に押し当てて密着させ、シート状部材７０により植木鉢を強く支持することができる。フラップ部４２は、内部材本体２１の展開状態において、フラップ部４０と左右対称に形成されている。
【００４８】
また、縦板部（左第２縦板部）５０は、内底面部２２の接続部２６の正面側の辺部（つまり、辺部２２ｌ）から折れ線Ｃ２１を介して連設され、方形状（具体的には、長方形状）を呈している。また、縦板部（右第２縦板部）５２は、内底面部２２の接続部２８の正面側の辺部（つまり、辺部２２ｈ）から折れ線Ｃ２２を介して連設され、方形状（具体的には、長方形状）を呈している。この縦板部５０、５２は、植木鉢を支持した状態では、内底面部２２に対して立設した状態となる。
【００４９】
また、横板部（第２横板部）５４は、縦板部５０の内底面部２２側の辺部とは反対側の辺部から折れ線Ｃ２３を介して連設されるとともに、縦板部５２の内底面部２２側の辺部とは反対側の辺部から折れ線Ｃ２４を介して連設されている。横板部５４は、長方形状に略半円状を切欠きを形成した形状を呈し、折れ線Ｃ２３に沿った辺部５４ａと、辺部５４ａから連設され辺部５４ａに対して直角をなす直線状を呈する辺部５４ｂと、辺部５４ｂから連設され右側面側に湾曲した略円弧状を呈する辺部５４ｃと、辺部５４ｃから連設され直線状を呈する辺部５４ｄと、辺部５４ｄから連設され直線状を呈する辺部５４ｅと、辺部５４ｅから連設され直線状を呈する辺部５４ｆと、辺部５４ｆから連設され直線状を呈する辺部５４ｇと、辺部５４ｇから連設され直線状を呈する辺部５４ｈと、辺部５４ｈから連設され直線状を呈する辺部５４ｉと、辺部５４ｉから連設され略円弧状を呈する辺部５４ｊと、辺部５４ｊから連設され前後方向に伸びた直線状を呈する辺部５４ｋと、辺部５４ｋから連設され辺部５４ｋに対して直角をなし折れ線Ｃ２４に沿った直線状をなす辺部５４ｌと、辺部５４ｌから連設され辺部５４ｌに対して直角をなす直線状の辺部５４ｍと、辺部５４ｍから連設され辺部５４ｍに対して直角をなす直線状の辺部５４ｎと、辺部５４ｎから連設され辺部５４ｎに対して直角をなす直線状の辺部５４ｏとを有している。
【００５０】
横板部５４には、接着部５８と反対側に辺部５４ｂ〜５４ｋにより形成された切欠部Ｋ５４が設けられている。この切欠部Ｋ５４は、被収納物としての植木鉢１０２を配置するための切欠部である。
【００５１】
辺部５４ｍと辺部５４ｏは、互いに平行に形成され、辺部５４ａ、５４ｌは、辺部５４ｎと平行に形成されている。内部材本体２１の展開状態において、辺部５４ｍは、折れ線Ｃ２７の延長線上に形成され、辺部５４ｏは、折れ線Ｃ２６の延長線上に形成されている。
【００５２】
また、辺部５４ｄ〜５４ｉの６つの辺部により略円弧状に形成され、辺部５４ｄ〜５４ｉの各辺部の両側の端部は、円弧上に配置されている。なお、辺部５４ｄ〜５４ｉにおける各辺部は略同一の長さとなっている。
【００５３】
また、折曲げ片部群５６は、辺部５４ｄから折れ線を介して連設された折曲げ片部５６−１と、辺部５４ｅから折れ線を介して連設された折曲げ片部５６−２と、辺部５４ｆから折れ線を介して連設された折曲げ片部５６−３と、辺部５４ｇから折れ線を介して連設された折曲げ片部５６−４と、辺部５４ｈから折れ線を介して連設された折曲げ片部５６−５と、辺部５４ｉから折れ線を介して連設された折曲げ片部５６−６とを有し、折曲げ片部５６−１〜５６−６における各折曲げ片部は、台形形状を呈し、各折曲げ片部において、横板部５４側の辺部（つまり、辺部５４ｄ〜５４ｉに沿った直線状の辺部）と先端側の辺部（該横板部５４側の辺部とは反対側の直線状の辺部）は、平行に形成され、該先端側の辺部は、全体で略円弧状に形成されている。折曲げ片部５６−１〜５６−６における隣接する折曲げ片部は、直線状の切込みを介して隣接している。各切込みの延長線は一点で交差する。なお、折曲げ片部５６−１の正面側の辺部と折曲げ片部５６−６の正面側の辺部は、同一直線上に形成され、これらの辺部の方向は、左右方向（辺部５４ｂ、５４ｋと直角の方向）となっている。
【００５４】
また、接着部（第２接着部）５８は、横板部５４の正面側の辺部５４ｎから折れ線Ｃ２５を介して連設され、略長方形状を呈している。すなわち、接着部５８は、折れ線Ｃ２５に沿った辺部５８ａと、辺部５８ａと直角の辺部５８ｂ、５８ｄと、辺部５８ａと平行な辺部５８ｃとを有している。なお、接着部５８の左右両側には、方形状の切欠部と該切欠部から連設された切込みが設けられているが、これは、外部材１０との位置関係を確認するために設けられたものである。接着部５８の先端側の２つの角部には、アールが形成されている。
【００５５】
また、フラップ部（左第２フラップ部）６０は、縦板部５０の左側面側の辺部から折れ線Ｃ２６を介して連設され、略平行四辺形を呈している。つまり、フラップ部６０は、折れ線Ｃ２６に沿った辺部である辺部６０ａと、辺部６０ａの内底面部２２側の端部から連設された直線状の辺部６０ｂと、辺部６０ａの横板部５４側の端部から連設された直線状の辺部６０ｄと、フラップ部６０の先端側の辺部であり直線状の辺部６０ｃとを有し、辺部６０ａと辺部６０ｃは互いに平行であり、辺部６０ｂと辺部６０ｄは互いに平行になっている。フラップ部４０の先端側の２つの角部にはアールが形成されている。つまり、辺部６０ｂと辺部６０ｃ間と辺部６０ｄと辺部６０ｃ間には、略円弧状の辺部が設けられている。なお、辺部６０ｂ、６０ｄは、フラップ部６０の先端側にいくほど内底面部２２側に傾斜して形成され（つまり、支持具１の組立て状態（特に、フラップ部６０を外底面部１２と横板部５４間の位置に配置した状態）では、辺部６０ｂ、６０ｄは、フラップ部６０の先端側にいくほど下方（つまり、下向き）となるように傾斜している）、これにより、支持具１の組立て状態において、フラップ部６０を外底面部１２と横板部５４間の位置に配置した際に、縦板部５０がフラップ部６０とは反対側（つまり、縦板部３０側）に傾斜しやすく、これにより、シート状部材７２を強く植木鉢に押し当てて密着させ、シート状部材７２により植木鉢を強く支持することができる。
【００５６】
また、フラップ部（右第２フラップ部）６２は、縦板部５２の右側面側の辺部から折れ線Ｃ２７を介して連設され、略平行四辺形を呈している。つまり、フラップ部６２は、折れ線Ｃ２７に沿った辺部である辺部６２ａと、辺部６２ａの内底面部２２側の端部から連設された直線状の辺部６２ｂと、辺部６２ａの横板部５４側の端部から連設された直線状の辺部６２ｄと、フラップ部６２の先端側の辺部であり直線状の辺部６２ｃとを有し、辺部６２ａと辺部６２ｃは互いに平行であり、辺部６２ｂと辺部６２ｄは互いに平行になっている。フラップ部６２の先端側の２つの角部にはアールが形成されている。つまり、辺部６２ｂと辺部６２ｃ間と辺部６２ｄと辺部６２ｃ間には、略円弧状の辺部が設けられている。なお、辺部６２ｂ、６２ｄは、フラップ部６２の先端側にいくほど内底面部２２側に傾斜して形成され（つまり、支持具１の組立て状態（特に、フラップ部６２を外底面部１２と横板部５４間の位置に配置した状態）では、辺部６２ｂ、６２ｄは、フラップ部４２の先端側にいくほど下方（つまり、下向き）となるように傾斜している）、これにより、支持具１の組立て状態において、フラップ部６２を外底面部１２と横板部５４間の位置に配置した際に、縦板部５２がフラップ部６２とは反対側（つまり、縦板部３２側）に傾斜しやすく、これにより、シート状部材７２を強く植木鉢に押し当てて密着させ、シート状部材７２により植木鉢を強く支持することができる。フラップ部６２は、内部材本体２１の展開状態において、フラップ部６０と左右対称に形成されている。
【００５７】
なお、内部材本体２１は、内部材本体２１の展開状態において、前後方向の中心線を介して左右対称に形成されているとともに、左右方向の中心線を介して前後対称に形成されている。
【００５８】
また、内部材２０において、折れ線Ｃ１１、Ｃ１２と、折れ線Ｃ１３、Ｃ１４と、折れ線Ｃ１５と、折れ線Ｃ２１、Ｃ２２と、折れ線Ｃ２３、Ｃ２４と、折れ線Ｃ２５とは互いに平行（略平行としてもよい）に形成されている。
【００５９】
また、シート状部材（第１シート状部材）７０は、横長の長方形状を呈し、引っ張りにより伸び変形するシート状部材であり、具体的には、合成樹脂製で、引っ張りにより伸び変形するフィルムにより形成されている。なお、シート状部材７０は、引っ張りにより伸び変形するので、当然、撓み変形する（つまり、撓み変形する柔軟性（可撓性としてもよい）を有している）。つまり、シート状部材７０は、撓み変形する材質により形成されている。該フィルムとしては、例えば、透明なポリエチレンにより形成されている。なお、ポリエチレンは、可塑性（力を加えて変形を与えたとき、力を取り去っても歪みがそのまま残る性質）を有するものである。なお、シート状部材７０は、伸縮性（伸びるだけでなく縮む性質）を有するもの（例えば、ポリウレタンエラストマーフィルム、シリコーンエラストマーフィルム等のエラストマーフィルム）であってもよい。
【００６０】
シート状部材７０は、フラップ部４０とフラップ部４２に接着して内部材本体２１に固定されている。つまり、シート状部材７０の左側面側の端部側の領域がフラップ部４０の接着領域４０Ｓに接着され、右側面側の端部側の領域がフラップ部４２の接着領域４２Ｓに接着されている。これにより、シート状部材７０は、縦板部３０と縦板部３２の内側の面に沿って設けられ、シート状部材７０は、縦板部３０と縦板部３２の間（つまり、縦板部３０と縦板部３２間の隙間）を跨いだ状態となっている。つまり、少なくとも支持具１の図１〜図３のような展開状態や図４のような組立て状態では、シート状部材７０は、縦板部３０と縦板部３２間に橋のように架けられた状態となっている。シート状部材７０は、その長手方向が左右方向になるように設けられている。
【００６１】
シート状部材７０の短手方向の長さは、縦板部３０、３２の支持具１の図４の状態における上下方向の長さ（折れ線Ｃ１１と折れ線Ｃ１３間の長さや折れ線Ｃ１２と折れ線Ｃ１４間の長さ）よりも若干短く形成され、シート状部材７０は、折れ線Ｃ１１と折れ線Ｃ１３間の位置に配置されるとともに、折れ線Ｃ１２と折れ線Ｃ１４間の位置に配置されている。つまり、シート状部材７０の一方（支持具１の図４の状態における上側）の長手方向の辺部７０ａは、折れ線Ｃ１３に沿って折れ線Ｃ１３のやや折れ線Ｃ１１側に設けられているとともに、折れ線Ｃ１４に沿って折れ線Ｃ１４のやや折れ線Ｃ１２側に設けられており、また、シート状部材７０の他方（支持具１の図４の状態における下側）の長手方向の辺部７０ｂは、折れ線Ｃ１１に沿って折れ線Ｃ１１のやや折れ線Ｃ１３側に設けられているとともに、折れ線Ｃ１２に沿って折れ線Ｃ１２のやや折れ線Ｃ１４側に設けられている。
【００６２】
なお、シート状部材７０は、フラップ部４０とフラップ部４２に接着されているとしたが、シート状部材７０の左側面側の端部領域（縦板部３０に接する領域）が縦板部３０に接着された構成でもよく、また、シート状部材７０の右側面側の端部領域（縦板部３２に接する領域）が縦板部３２に接着された構成としてもよい。シート状部材７０が縦板部３０と縦板部３２に接着された構成の場合には、シート状部材７０は、縦板部３０と縦板部３２の外側にはみ出る必要がないので、シート状部材７０の横方向の長さは、折れ線Ｃ１６と折れ線Ｃ１７間の長さ以下であればよい。
【００６３】
以上のように、シート状部材７０における左側面側の領域は、フラップ部４０と縦板部３０のいずれか一方又はそれらの両方の接着領域（つまり、フラップ部４０と縦板部３０の少なくともいずれか）に接着されていればよく、また、シート状部材７２における右側面側の領域は、フラップ部４２と縦板部３２のいずれか一方又はそれらの両方の接着領域（つまり、フラップ部４２と縦板部３２の少なくともいずれか）に接着されていればよい。
【００６４】
また、シート状部材（第２シート状部材）７２は、横長の長方形状を呈し、引っ張りにより伸び変形するシート状部材であり、具体的には、合成樹脂製で、引っ張りにより伸び変形するフィルムにより形成されている。なお、シート状部材７０は、引っ張りにより伸び変形するので、当然、撓み変形する（つまり、撓み変形する柔軟性（可撓性としてもよい）を有している）。つまり、シート状部材７２は、撓み変形する材質により形成されている。該フィルムとしては、例えば、透明なポリエチレンにより形成されている。なお、ポリエチレンは、可塑性（力を加えて変形を与えたとき、力を取り去っても歪みがそのまま残る性質）を有するものである。なお、シート状部材７０は、伸縮性（伸びるだけでなく縮む性質）を有するもの（例えば、ポリウレタンエラストマーフィルム、シリコーンエラストマーフィルム等のエラストマーフィルム）であってもよい。
シート状部材７２は、フラップ部６０とフラップ部６２に接着して内部材本体２１に固定されている。つまり、シート状部材７２の左側面側の端部側の領域がフラップ部６０の接着領域６０Ｓに接着され、右側面側の端部側の領域がフラップ部６２の接着領域６２Ｓに接着されている。これにより、シート状部材７２は、縦板部５０と縦板部５２の内側の面に沿って設けられ、シート状部材７２は、縦板部５０と縦板部５２の間（つまり、縦板部５０と縦板部５２間の隙間）を跨いだ状態となっている。つまり、少なくとも支持具１の図１〜図３のような展開状態や図４のような組立て状態では、シート状部材７２は、縦板部５０と縦板部５２間に橋のように架けられた状態となっている。シート状部材７２は、その長手方向が左右方向になるように設けられている。
【００６５】
シート状部材７２の短手方向の長さは、縦板部５０、５２の支持具１の図４の状態における上下方向の長さ（折れ線Ｃ２１と折れ線Ｃ２３間の長さや折れ線Ｃ２２と折れ線Ｃ２４間の長さ）よりも若干短く形成され、シート状部材７２は、折れ線Ｃ２１と折れ線Ｃ２３間の位置に配置されるとともに、折れ線Ｃ２２と折れ線Ｃ２４間の位置に配置されている。つまり、シート状部材７２の一方（支持具１の図４の状態における上側）の長手方向の辺部７２ａは、折れ線Ｃ２３に沿って折れ線Ｃ２３のやや折れ線Ｃ２１側に設けられているとともに、折れ線Ｃ２４に沿って折れ線Ｃ２４のやや折れ線Ｃ２２側に設けられており、また、シート状部材７２の他方（支持具１の図４の組立て状態における下側）の長手方向の辺部７２ｂは、折れ線Ｃ２１に沿って折れ線Ｃ２１のやや折れ線Ｃ２３側に設けられているとともに、折れ線Ｃ２２に沿って折れ線Ｃ２２のやや折れ線Ｃ２４側に設けられている。
【００６６】
なお、シート状部材７２は、フラップ部６０とフラップ部６２に接着されているとしたが、シート状部材７２の左側面側の端部領域（縦板部５０に接する領域）が縦板部５０に接着された構成でもよく、また、シート状部材７２の右側面側の端部領域（縦板部５２に接する領域）が縦板部５２に接着された構成としてもよい。シート状部材７２が縦板部５０と縦板部５２に接着された構成の場合には、シート状部材７２は、縦板部５０と縦板部５２の外側にはみ出る必要がないので、シート状部材７２の横方向の長さは、折れ線Ｃ２６と折れ線Ｃ２７間の長さ以下であればよい。
【００６７】
以上のように、シート状部材７２における左側面側の領域は、フラップ部６０と縦板部５０のいずれか一方又はそれらの両方の接着領域（つまり、フラップ部６０と縦板部５０の少なくともいずれか）に接着されていればよく、また、シート状部材７２における右側面側の領域は、フラップ部６２と縦板部５２のいずれか一方又はそれらの両方の接着領域（つまり、フラップ部６２と縦板部５２の少なくともいずれか）に接着されていればよい。
【００６８】
支持具１においては、内底面部本体２４に鉢植え１００を置いた状態で、支持具１を組立て状態とすることにより、シート状部材７０とシート状部材７２により鉢植え１００の植木鉢１０２を挟んだ状態で植木鉢１０２を支持することができる。
【００６９】
外部材１０と内部材２０は接着されていて、具体的には、接着部３８が側面部１４に接着され、接着部５８が側面部１６に接着され、内底面部２２が外底面部１２に接着されている。つまり、接着部３８が側面部１４の接着領域（ハッチングに示す領域）１４Ｓに接着され、接着部５８が側面部１６の接着領域（ハッチングに示す領域）１６Ｓに接着され、内底面部２２が外底面部１２の接着領域（ハッチングに示す領域）１２Ｓに接着されている。つまり、接着領域１２Ｓ、１４Ｓ、１６Ｓに接着剤が塗布されて、内部材２０と接着されている。
【００７０】
外部材１０と内部材２０が接着されている状態では、折れ線Ｃ１、Ｃ２は、折れ線Ｃ１１〜Ｃ１５及び折れ線Ｃ２１〜Ｃ２５と平行（略平行としてもよい）に設けられ、また、折れ線Ｃ１３、Ｃ１４と折れ線Ｃ１５間の長さＬ１は、折れ線Ｃ１１、折れ線１２と折れ線Ｃ１間の長さＬ２と同一（略同一としてもよい）であり、折れ線Ｃ１１と折れ線Ｃ１３間の長さ及び折れ線Ｃ１２と折れ線Ｃ１４間の長さＬ３は、折れ線Ｃ１５と折れ線Ｃ１間の長さＬ４と同一（略同一としてもよい）となっていて、また、折れ線Ｃ２３、Ｃ２４と折れ線Ｃ２５間の長さＬ１１は、折れ線Ｃ２１、折れ線２２と折れ線Ｃ２間の長さＬ１２と同一（略同一としてもよい）であり、折れ線Ｃ２１と折れ線Ｃ２３間の長さ及び折れ線Ｃ２２と折れ線Ｃ２４間の長さＬ１３は、折れ線Ｃ２５と折れ線Ｃ２間の長さＬ１４と同一（略同一としてもよい）となっている。これにより、支持具１を組立て状態とした場合には、横板部３４、５４は外底面部１２及び内底面部２２と略平行（平行としてもよい）となり、縦板部３０、３２は側面部１４と略平行（平行としてもよい）となり、縦板部５０、５２は側面部１６と略平行（平行としてもよい）となる。なお、厳密には、側面部１４、１６が外底面部１２に対して直角の状態では、縦板部３０、３２と縦板部５０、５２においては、縦板部３０と縦板部５０間の距離が上方に行くほど短くなるように傾斜し、縦板部３２と縦板部５２間の距離が上方に行くほど短くなるように傾斜した状態となる。
【００７１】
上記構成の支持具１の使用方法について説明する。支持具１を使用しない場合には、図１〜図３に示すように、支持具１を展開状態として展開しておくことができ、展開状態の支持具１を積み重ねた状態で保管や運搬することができ、省スペースを図ることができる。
【００７２】
特に、図１〜図３に示すように、接着部３８は、横板部３４の外底面部１２側の面と同じ側の面が側面部１４に接着され、接着部５８は、横板部５４の外底面部１２側の面と同じ側の面が側面部１６に接着されていて、外部材１０を平板状に展開した場合には、内部材２０も平板状に展開した状態となるので、支持具１の厚みを薄くすることができ、省スペースを図ることができる。なお、接着部３８を横板部３４に対して折り返した状態として、接着部３８における横板部３４の外底面部１２側の面と同じ側の面と反対側の面を接着し、また、接着部５８における横板部５４の外底面部１２側の面と同じ側の面と反対側の面を接着しても、接着部としての機能は果たすことができるが、図１〜図３のように接着部３８、５８を側面部１４、１６に接着することにより省スペースを図ることができる。
【００７３】
次に、支持具１により鉢植えを支持する場合について説明する。鉢植え１００は、植木鉢１０２に土１０４が入れられ、該土１０４に植物１０６が植えられている構成となっている。
【００７４】
この植木鉢（被支持物）１０２は、通常の植木鉢と同様の構成であり、図１５、図１６等に示すように、底面部１０２−１と、底面部１０２−１の周端から立設して設けられた側面部１０２−２とを有し、側面部１０２−２は、底面部１０２−１から連設された側面本体部１０２−２ａと、側面本体部１０２−２ａの上端から連設された側面上端部１０２−２ｂとを有し、側面本体部１０２−２ａの外面は、逆円錐台形状の周面の形状を呈し、側面上端部１０２−２ｂの外面は、円柱形状の周面の形状を呈している。
【００７５】
なお、シート状部材７０、７２により植木鉢１０２を支持する際には、シート状部材７０、７２が側面本体部１０２−２ａの周面に沿って接した状態となるので、植木鉢１０２の側面本体部１０２−２ａの最大外径Ｍ（図１４参照）は、少なくとも接続部２６、２８の幅（つまり、折れ線Ｃ１１と折れ線Ｃ２１間の幅や折れ線Ｃ１２と折れ線Ｃ２２間の幅）よりも長い必要がある。
【００７６】
まず、図９に示すように、鉢植え１００の植木鉢１０２を内底面部本体２４の上面に配置する。植木鉢１０２の配置に際しては、植木鉢１０２を内底面部本体２４の中央領域に配置する。なお、植木鉢１０２の外径の大きさにもよるが、図９の状態では、基本的には植木鉢１０２の底面部１０２−１がシート状部材７０、７２の一部の上面に接した状態となる。
【００７７】
次に、図１０に示すように、側面部１４と側面部１６を外底面部１２に対して立ち上げる。つまり、側面部１４を外底面部１２に対して折れ線Ｃ１を介して折り曲げるとともに、側面部１６を外底面部１２に対して折れ線Ｃ２を介して折り曲げる。
【００７８】
すると、横板部３４が接着部３８に対して折れ線Ｃ１５を介して折曲し、さらに、縦板部３０、３２が横板部３４に対して折れ線Ｃ１３、Ｃ１４を介して折曲するとともに、内底面部２２に対して折れ線Ｃ１１、Ｃ１２を介して折曲して、縦板部３０、３２が内底面部２２に対して立ち上がるとともに、横板部３４が外底面部１２と平行（略平行としてもよい）な状態で外底面部１２に対して上昇する。同様に、横板部５４が接着部５８に対して折れ線Ｃ２５を介して折曲し、さらに、縦板部５０、５２が横板部５４に対して折れ線Ｃ２３、Ｃ２４を介して折曲するとともに、内底面部２２に対して折れ線Ｃ２１、Ｃ２２を介して折曲して、縦板部５０、５２が内底面部２２に対して立ち上がるとともに、横板部５４が外底面部１２と平行（略平行としてもよい）な状態で外底面部１２に対して上昇する。
【００７９】
そして、縦板部３０、３２、５０、５２が内底面部２２に対して立ち上がると、シート状部材７０、７２（具体的には、シート状部材７０の縦板部３０と縦板部３２間の領域（縦板部３０と縦板部３２の間を跨ぐ領域）７０Ａとシート状部材７２の縦板部５０と縦板部５２間の領域（縦板部５０と縦板部５２の間を跨ぐ領域）７２Ａ）が植木鉢１０２の側面本体部１０２−２ａに接触し、領域７０Ａと領域７２Ａが植木鉢１０２の側面本体部１０２−２ａの外面に沿って密着した状態となる。つまり、シート状部材７０、７２が引っ張りにより伸び変形するので、領域７０Ａ、７２Ａが植木鉢１０２に密着した状態となる。なお、領域７０Ａは、図６のシート状部材７０においてハッチングに示す領域であり、領域７２Ａは、図６のシート状部材７２においてハッチングに示す領域である。
【００８０】
なお、側面部１４、１６を外底面部１２に対して立ち上げた状態では、接着部３８は横板部３４に対して上側に折れ曲がった状態となり、接着部５８は横板部５４に対して上側に折れ曲がった状態となる。
【００８１】
そして、図１１に示すように、縦板部３０、３２、５０、５２が内底面部２２に対して略直角の状態になったら、外底面部１２と横板部３４間にフラップ部４０、４２を挿入する空間が形成されるとともに、外底面部１２と横板部５４間にフラップ部６０、６２を挿入する空間が形成されるので、フラップ部４０、４２を横板部３４と外底面部１２に係止させるとともにフラップ部６０、６２を横板部５４と外底面部１２に係止させる。つまり、実際の操作としては、フラップ部４０とフラップ部６０を係止させ、その後に、フラップ部４２とフラップ部６２を係止させる（フラップ部６０とフラップ部６２を係止させ、その後に、フラップ部４０とフラップ部６０を係止させてもよい）。なお、縦板部３０、３２、５０、５２が内底面部２２に対して略直角の状態においても、横板部３４、５４は、外底面部１２に対して略平行な状態となっている。
【００８２】
フラップ部４０を係止させるには、フラップ部４０を縦板部３０に対して内側に回動させ、横板部３４と外底面部１２の間にフラップ部４０を位置させる。これにより、フラップ部４０の辺部４０ｂが外底面部１２に接することによりフラップ部４０が外底面部１２に係止し、辺部４０ｄが横板部３４に接することによりフラップ部４０が横板部３４に係止する。また、フラップ部４２を係止させるには、フラップ部４２を縦板部３２に対して内側に回動させ、横板部３４と外底面部１２の間にフラップ部４２を位置させる。これにより、フラップ部４２の辺部４２ｂが外底面部１２に接することによりフラップ部４２が外底面部１２に係止し、辺部４２ｄが横板部３４に接することによりフラップ部４２が横板部３４に係止する。
【００８３】
また、フラップ部６０を係止させるには、フラップ部６０を縦板部５０に対して内側に回動させ、横板部５４と外底面部１２の間にフラップ部６０を位置させる。これにより、フラップ部６０の辺部６０ｂが外底面部１２に接することによりフラップ部６０が外底面部１２に係止し、辺部６０ｄが横板部５４に接することによりフラップ部６０が横板部５４に係止する。また、フラップ部６２を係止させるには、フラップ部６２を縦板部５２に対して内側に回動させ、横板部５４と外底面部１２の間にフラップ部６２を位置させる。これにより、フラップ部６２の辺部６２ｂが外底面部１２に接することによりフラップ部６２が外底面部１２に係止し、辺部６２ｄが横板部５４に接することによりフラップ部６２が横板部５４に係止する。
【００８４】
以上のように、フラップ部４０、４２を横板部３４と外底面部１２に係止させるとともにフラップ部６０、６２を横板部５４と外底面部１２に係止させることにより、図１２〜図１８に示すように支持具１が組立て状態で植木鉢１０２を支持した状態となり、縦板部３０、３２、５０、５２が立ち上がった状態が維持され、シート状部材７０、７２により植木鉢１０２を支持する状態が維持される。つまり、植木鉢１０２は、シート状部材７０とシート状部材７２により植木鉢１０２の相対する側面を挟んだ状態で支持される。シート状部材７０、７２は、引っ張りにより伸び変形するフィルムにより形成されているので、植木鉢１０２との接触面積を大きくできるとともに、植木鉢１０２と十分密着でき、植木鉢１０２を十分支持することができる。なお、図１８は、図１２の状態において、鉢植え１００における土１０４と植物１０６を省略した状態を平面視した図となる。
【００８５】
なお、支持具１が組立て状態で植木鉢１０２を支持する状態では、シート状部材７０、７２において、側面本体部１０２−２ａの外面に密着する部分は、シート状部材７０、７２の長手方向における中央の領域（つまり、領域７０Ａの横方向における中央の領域と領域７２Ａの横方向における中央の領域）となる。つまり、図１７において、シート状部材７０におけるＷ１に示す領域が側面本体部１０２−２ａに密着し、シート状部材７２におけるＷ２に示す領域が側面本体部１０２−２ａに密着する。なお、図１７において、円形の点線は、植木鉢１０２の底面部１０２−１の輪郭を示すものである（図２１においても同様）。
【００８６】
なお、側面部１４、１６を立ち上げることによりシート状部材７０、７２が側面本体部１０２−２ａの外面に接してシート状部材７０、７２が側面本体部１０２−２ａに密着する際には、シート状部材７０、７２が横方向に引っぱられるので、シート状部材７０、７２が横方向に引っぱられることによりシート状部材７０、７２の上下方向（短手方向）の幅が縮小し、その影響でシート状部材７０、７２における植木鉢１０２の底面部１０２−１の下側に位置していた領域（辺部７０ｂ側の領域や辺部７２ｂ側の領域）が底面部１０２−１から抜けて側面本体１０２−２ａの下端領域に接することになる。つまり、図１５、〜図１７に示すように、シート状部材７０、７２が植木鉢１０２に密着している領域においては、シート状部材７０の辺部７０ｂやシート状部材７２の辺部７２ｂは、側面本体１０２−２ａの下端領域に接する。
【００８７】
なお、シート状部材７０、７２が横方向に引っぱられることによる上下方向の縮小幅が小さい場合には、図１９〜図２１に示すように、支持具１が組立て状態で植木鉢１０２を支持した際には、シート状部材７０、７２の下側の端部領域７０Ｒ、７２Ｒが植木鉢１０２の底面部１０２−１の下側に位置する場合もある。つまり、図１９は図１５に対応し、図２０は図１６に対応し、図２１は図１７に対応する。
【００８８】
また、シート状部材７０は、フラップ部４０、４２に接着され、シート状部材７２は、フラップ部６０、６２に接着されているので、フラップ部４０、４２、６０、６２を回動させて係止させた際には、シート状部材７０、７２を横方向に引っぱることになるため、シート状部材７０を縦板部３０、３２に接着し、シート状部材７２を縦板部５０、５２に接着する場合に比べて、シート状部材７０、７２が植木鉢１０２により密着して、植木鉢をシート状部材７０とシート状部材７２により十分支持することができる。
【００８９】
以上のようにして、シート状部材７０、７２により植木鉢１０２を挟んで支持することにより鉢植え１００を支持具１に支持したら、図２２に示すように、鉢植え１００を支持した状態の支持具１を箱体１５０に収納する。その際、開口部Ｋ１４、Ｋ１６に手を通して把手部１４Ｔ、１６Ｔをつかんで支持具１を持ち上げて、箱体１５０に収納すればよい。側面部１４、１６の上端領域に把手部１４Ｔ、１６Ｔが設けられているので、箱体１５０への収納が容易である。
【００９０】
鉢植え１００を支持した支持具１を箱体１５０に収納したら、箱体１５０を閉状態にして運搬する。なお、箱体１５０は、底部と底部から連設された側面部１６０と、側面部１６０の上端から連設されたフラップ部１７０、１７２と、側面部１６０の上端から連設された蓋部１８０、１８２とを有し、側面部１６０は、４つの側面構成部１６２〜１６８を有している。箱体１５０を閉状態にするには、フラップ部１７０、１７２を内側に折り曲げた状態で蓋部１８０、１８２を閉じた状態とし、例えば、側面構成部１６４から蓋部１８０、１８２を経て側面構成部１６６まで接着テープで接着することにより、箱体１５０の閉状態を固定することができる。以上のように、支持具１は、植木鉢を支持する台座（植木鉢を支持した状態で梱包する梱包用台座としてもよい）として機能する（後述の支持具１’も同じ）。
【００９１】
なお、支持する植木鉢１０２の大きさは、支持具１の組立て状態において、横板部３４の辺部３４ｄ〜３４ｉと横板部５４の辺部５４ｄ〜５４ｉに接する大きさの径以下の大きさである必要があるが、シート状部材７０、７２により支持できる大きさであればよい。
【００９２】
また、植木鉢１０２を支持した状態で折曲げ片部群３６、５６における折曲げ片部が植木鉢１０２（又は植木鉢１０２に接したシート状部材７０、７２）に接する状態では、折曲げ片部によっても植木鉢を支持することができ、折曲げ片部群による緩衝効果を得ることができる。図１２〜図２１に示す状態では、折曲げ片部が植木鉢１０２又はシート状部材７０、７２に接して、折曲げ片部が下方に折れ曲がった状態となっており、折曲げ片部によっても植木鉢１０２が支持される。
【００９３】
また、図２３に示すように、図１８に示す植木鉢よりも小さい場合には、植木鉢が折曲げ片部により支持される度合いは小さいが、シート状部材７０、７２により植木鉢を支持することができる。特に、シート状部材７０、７２が引っ張りにより伸び変形するフィルムにより形成されているので、複数の大きさの植木鉢に対応して植木鉢を支持することができる。
【００９４】
なお、折曲げ片部が接しない大きさの植木鉢であっても、シート状部材７０、７２により植木鉢１０２を挟んだ状態となるので、植木鉢１０２を支持することができる。
【００９５】
以上のように、本実施例の支持具１においては、シート状部材７０、７２により植木鉢を挟んだ状態で支持するので、植木鉢と密着して植木鉢との接触面積を大きくでき、植木鉢を十分支持することができる。また、シート状部材７０、７２が引っ張りにより伸び変形するフィルムにより形成されているので、植木鉢と十分密着できて植木鉢を十分支持することができるとともに、複数の大きさの植木鉢に対応することができる。さらに、植木鉢を内底面部２２上に配置した状態で側面部１４、１６を立ち上げるという操作のみでシート状部材７０、７２により植木鉢を支持できるので、植木鉢を支持する操作が容易である。
【００９６】
また、外部材１０には、把手部１４Ｔ、１６Ｔを構成するための開口部Ｋ１４、Ｋ１６が設けられているので、鉢植え１００の植木鉢１０２を支持した状態の支持具１を持ち上げて箱体１５０に容易に収納することができる。
【００９７】
なお、上記の説明においては、シート状部材７０とシート状部材７２の２枚のシート状部材が設けられるとしたが、図２４に示す支持具１’ように、２枚のシート状部材の代わりに、１枚のシート状部材（シート状部材部、シート状部材としてもよい）７４としてもよい。すなわち、シート状部材７４は、横長の長方形状を呈し、シート状部材７４の材質は、上記フィルム７０、７２と同様である。つまり、シート状部材７４は、引っ張りにより伸び変形するシート状部材であり、具体的には、合成樹脂製で、引っ張りにより伸び変形するフィルムにより形成されていて、例えば、ポリエチレンにより形成されている。なお、シート状部材７４は、引っ張りにより伸び変形するので、当然、撓み変形する（つまり、撓み変形する柔軟性（可撓性としてもよい）を有している）。つまり、シート状部材７４は、撓み変形する材質により形成されている。また、シート状部材７４は、伸縮性（伸びるだけでなく縮む性質）を有するもの（例えば、ポリウレタンエラストマーフィルム、シリコーンエラストマーフィルム等のエラストマーフィルム）であってもよい。
【００９８】
シート状部材７４は、フラップ部４０とフラップ部４２とフラップ部６０とフラップ部６２に接着して内部材本体２１に固定されている。つまり、シート状部材７４の左側面側の端部側の領域がフラップ部４０の接着領域４０Ｓとフラップ部６０の接着領域６０Ｓに接着され、右側面側の端部側の領域がフラップ部４２の接着領域４２Ｓとフラップ部６２の接着領域６２Ｓに接着されている。これにより、シート状部材７４は、縦板部３０と縦板部３２の内側の面に沿って設けられるとともに、縦板部５０と縦板部５２の内側の面に沿って設けられ、シート状部材７４は、縦板部３０と縦板部３２の間を跨ぐとともに、縦板部５０と縦板部５２の間を跨いだ状態となっている。ここで、縦板部３０と縦板部３２の間を跨ぐ領域が領域（第１領域）７４Ａで、領域７４Ａは、図２５においてハッチングに示される領域であり、縦板部５０と縦板部５２の間を跨ぐ領域が領域（第２領域）７４Ｂで、領域７４Ｂは、図２５においてハッチングに示される領域であり、領域７４Ａと領域７４Ｂの間の領域が、領域７４Ｃとなる。
【００９９】
なお、シート状部材７４は、フラップ部４０、４２、６０、６２に接着されているとしたが、シート状部材７４の左側面側で背面側の端部領域（縦板部３０に接する領域）が縦板部３０に接着された構成でもよく、また、シート状部材７４の右側面側で背面側の端部領域（縦板部３２に接する領域）が縦板部３２に接着された構成としてもよく、また、シート状部材７４の左側面側で正面側の端部領域（縦板部５０に接する領域）が縦板部５０に接着された構成でもよく、また、シート状部材７４の右側面側で正面の端部領域（縦板部５２に接する領域）が縦板部５２に接着された構成としてもよい。シート状部材７４が縦板部３０、３２と縦板部５０、５２に接着された構成の場合には、シート状部材７４は、縦板部３０と縦板部３２の外側や縦板部５０と縦板部５２の外側にはみ出る必要がないので、シート状部材７４の横方向の長さは、折れ線Ｃ１６と折れ線Ｃ１７間の長さ以下であればよく、折れ線Ｃ２６と折れ線Ｃ２７間の長さ以下であればよい。
【０１００】
以上のように、シート状部材７４は、フラップ部４０と縦板部３０のいずれか一方又はそれらの両方の接着領域（つまり、フラップ部４０と縦板部３０の少なくともいずれか）に接着され、フラップ部４２と縦板部３２のいずれか一方又はそれらの両方の接着領域（つまり、フラップ部４２と縦板部３２の少なくともいずれか）に接着されるとともに、フラップ部６０と縦板部５０のいずれか一方又はそれらの両方の接着領域（つまり、フラップ部６０と縦板部５０の少なくともいずれか）に接着され、フラップ部６２と縦板部５２のいずれか一方又はそれらの両方の接着領域（つまり、フラップ部６２と縦板部５２の少なくともいずれか）に接着されていればよい。
【０１０１】
シート状部材７４の短手方向の長さは、図２４に示す支持具１’の展開状態において、折れ線Ｃ１３と折れ線Ｃ２３間の長さや折れ線Ｃ１４と折れ線Ｃ２４間の長さよりも若干短く形成され、支持具１’の展開状態において、シート状部材７４は、折れ線Ｃ１３と折れ線２３の間の位置と折れ線Ｃ１４と折れ線Ｃ２４の間の位置に設けられており、シート状部材７４の折れ線Ｃ１３、Ｃ１４側の辺部７４ａは、折れ線Ｃ１３に沿って折れ線Ｃ１３のやや折れ線Ｃ１１側に設けられているとともに、折れ線Ｃ１４に沿って折れ線Ｃ１４のやや折れ線Ｃ１２側に設けられており、折れ線Ｃ２３、Ｃ２４側の辺部７４ｂは、折れ線Ｃ２３に沿って折れ線Ｃ２３のやや折れ線Ｃ２１側に設けられているとともに、折れ線Ｃ２４に沿って折れ線Ｃ２４のやや折れ線Ｃ２２側に設けられている。
【０１０２】
支持具１’の使用に際しては、シート状部材７４の上面における内底面部本体２４の中央領域に対応する領域に配置し、側面部１４と側面部１６を外底面部１２に対して立ち上げる。
【０１０３】
すると、支持具１の場合と同様に、縦板部３０、３２が内底面部２２に対して立ち上がるとともに、横板部３４が外底面部１２と平行な状態で外底面部１２に対して上昇し、縦板部５０、５２が内底面部２２に対して立ち上がるとともに、横板部５４が外底面部１２と平行な状態で外底面部１２に対して上昇する。
【０１０４】
そして、縦板部３０、３２、５０、５２が内底面部２２に対して立ち上がると、シート状部材７４（具体的には、領域７４Ａと領域７４Ｂ）が植木鉢１０２の側面本体部１０２−２ａに接触し、領域７４Ａと領域７４Ｂが植木鉢１０２の側面本体部１０２−２ａの外面に沿って密着した状態となる。
【０１０５】
そして、縦板部３０、３２、５０、５２が内底面部２２に対して略直角の状態になったら、支持具１の場合と同様に、フラップ部４０、４２を横板部３４と外底面部１２に係止させるとともにフラップ部６０、６２を横板部５４と外底面部１２に係止させる。これにより、縦板部３０、３２、５０、５２が立ち上がった状態が維持され、シート状部材７４により植木鉢を支持する状態が維持される。つまり、植木鉢は、シート状部材７４により植木鉢の相対する側面を挟んだ状態で支持されるが、植木鉢の底面側にもシート状部材７４が存在するので、図２５、図２６、図２７に示すように、植木鉢の相対する側面と底面を包むようにして支持される。つまり、シート状部材７４の領域７４Ａと領域７４Ｂにより植木鉢１０２を挟むとともに、植木鉢１０２の下側に第１領域７４Ａと第２領域７４Ｂ間の領域である領域７４Ｃが接した状態となって、シート状部材７４が植木鉢１０２を包むように支持する。
【０１０６】
なお、支持具１’が組立て状態で植木鉢を支持する状態では、シート状部材７４において、側面本体部１０２−２ａの外面に密着する部分は、シート状部材７０、７２の長手方向における中央の領域（つまり、領域７０Ａの横方向における中央の領域と領域７２Ａの横方向における中央の領域）となる。
【０１０７】
以上のようにして、シート状部材７４により植木鉢１０２を挟んで支持することにより鉢植え１００を支持具１’に支持したら、支持具１の場合と同様に、鉢植え１００を支持した状態の支持具１’を箱体に収納する。
【０１０８】
以上のように、支持具１’においても、シート状部材７４により植木鉢を挟んだ状態で支持するので、植木鉢と密着して植木鉢との接触面積を大きくできるとともに、植木鉢と十分密着でき、植木鉢を十分支持することができる。また、シート状部材７４が引っ張りにより伸び変形するフィルムにより形成されているので、複数の大きさの植木鉢に対応することができる。さらに、植木鉢をシート状部材７４における内底面部２２上の領域に配置した状態で側面部１４、１６を立ち上げるという操作のみでシート状部材７４により植木鉢を支持できるので、植木鉢を支持する操作が容易である。
【０１０９】
なお、フィルム７０、７２、７４は、例えば、透明なポリエチレンとしたが、透明でなくてもよい。ただし、透明とした方が、フィルム７０、７２、７４を目立たなくすることができる。
【０１１０】
また、シート状部材７０、７２、７４は、引っ張りにより伸び変形するシート状部材であるとしたが、他のシート状部材でもよく、例えば、撓み変形する（つまり、撓み変形する柔軟性（可撓性としてもよい）を有している）が、引っ張りにより伸び変形をしないシート状部材でもよく、例えば、不織布や紙や布であってもよい。なお、紙の場合には、一方の面に滑止め加工を施した紙材とするのが好ましく、例えば、アクリルやシリコンをコーティングした紙材が挙げられる。滑止め加工を施した紙材の場合には、滑り加工した面が被支持物に接するように、滑り加工した面と反対側の面が内部材２０に接着される。これらの場合でも、シート状部材が撓み変形するので、植木鉢の側面との接触面積を大きくして、植木鉢を十分支持することができる。ただし、引っ張りにより伸び変形しないので、引っ張りにより伸び変形する場合に比べて、植木鉢の側面との接触面積は小さくなるとともに、密着の度合いも小さくなる場合があり、また、複数の大きさの植木鉢に対応する機能は小さくなるといえる。
【０１１１】
なお、上記の説明においては、被支持物を植木鉢としたが、側面が周状の他の被支持物であってもよく、例えば、円筒状の缶やメロン等の果物であってもよい。つまり、被支持物の側面が周状の場合としては、側面が円柱状（略円柱状としてもよい）、逆円錐台状（略逆円錐台状としてもよい）、円錐台状（略円錐台状としてもよい）、球状（略球状としてもよい）等の場合が考えられる。また、側面が周状の被支持物以外の被支持物にも適用可能である。なお、側面が周状以外の形状の被支持物の場合には、該側面の形状に合わせて、横板部３４の切欠部Ｋ３４及び横板部５４の切欠部Ｋ５４の形状を構成する。例えば、４つの平面状の側面を有し、相対する側面が互いに平行な箱体の場合には、該切欠部Ｋ３４、Ｋ５４の形状を四角形状に形成することになる。
【０１１２】
また、上記の説明では、側面部１４、１６には、把手部１４Ｔ、１６Ｔ用の開口部Ｋ１４、Ｋ１６が形成されているとしたが、把手部用の開口を形成するための切目線であってもよい。すなわち、図２８（ａ）に示すように、側面部１４に略Ｕ字状の切込みとしての切目線Ｋ１５−１を形成し、折れ線Ｃ１５１を介して切目線Ｋ１５−１と折れ線Ｃ１５１で囲まれた領域を折り曲げることにより、切目線Ｋ１５−１と折れ線Ｃ１５１で囲まれた開口が形成され、また、側面部１６に略Ｕ字状の切込みとしての切目線Ｋ１７−１を形成し、折れ線Ｃ１７１を介して切目線Ｋ１７−１と折れ線Ｃ１７１で囲まれた領域を折り曲げることにより、切目線Ｋ１７−１と折れ線Ｃ１７１で囲まれた開口が形成されるので、各開口に手を通して把手部１４Ｔ、１６Ｔをつかんで支持具を持ち上げる。
【０１１３】
また、図２８（ｂ）に示すように、側面部１４に無端状（具体的には、トラック状）の切断予定線としての切目線Ｋ１５−２を形成し、切目線Ｋ１５−２を破断して切目線Ｋ１５−２で囲まれた領域を取り除くことにより開口が形成され、また、側面部１６に無端状（具体的には、トラック状）の切断予定線としての切目線Ｋ１７−２を形成し、切目線Ｋ１７−２を破断して切目線Ｋ１７−２で囲まれた領域を取り除くことにより開口が形成されるので、各開口に手を通して把手部１４Ｔ、１６Ｔをつかんで支持具を持ち上げる。
【０１１４】
また、図２８（ｃ）に示すように、切目線Ｋ１５−１の代わりに略Ｕ字状の切断予定線としての切目線Ｋ１５−３を形成し、切目線Ｋ１５−３を破断して、折れ線Ｃ１５３を介して切目線Ｋ１５−３と折れ線Ｃ１５３で囲まれた領域を折り曲げることにより、切目線Ｋ１５−３と折れ線Ｃ１５３で囲まれた開口が形成され、また、切目線Ｋ１７−１の代わりに略Ｕ字状の切断予定線としての切目線Ｋ１７−３を形成し、切目線Ｋ１７−３を破断して、折れ線Ｃ１７３を介して切目線Ｋ１７−３と折れ線Ｃ１７３で囲まれた領域を折り曲げることにより、切目線Ｋ１７−３と折れ線Ｃ１７３で囲まれた開口が形成されるので、各開口に手を通して把手部１４Ｔ、１６Ｔをつかんで支持具を持ち上げる。
【符号の説明】
【０１１５】
１、１’  支持具
１０  外部材
１２  外底面部
１４、１６  側面部
Ｋ１４、Ｋ１６  開口部
１４Ｔ、１６Ｔ  把手部
２０  内部材
２１  内部材本体
２２  内底面部
２４  内底面部本体
２６、２８  接続部
３０、３２、５０、５２  縦板部
３４、５４  横板部
３６、５６  折曲げ片部群
３６−１〜３６−６、５６−１〜５６−６  折曲げ片部
３８、５８  接着部
４０、４２、６０、６２  フラップ部
７０、７２、７４  シート状部材
【図１】
2019177925.tif 000003
【図２】
2019177925.tif 000004
【図３】
2019177925.tif 000005
【図４】
2019177925.tif 000006
【図５】
2019177925.tif 000007
【図６】
2019177925.tif 000008
【図７】
2019177925.tif 000009
【図８】
2019177925.tif 000010
【図９】
2019177925.tif 000011
【図１０】
2019177925.tif 000012
【図１１】
2019177925.tif 000013
【図１２】
2019177925.tif 000014
【図１３】
2019177925.tif 000015
【図１４】
2019177925.tif 000016
【図１５】
2019177925.tif 000017
【図１６】
2019177925.tif 000018
【図１７】
2019177925.tif 000019
【図１８】
2019177925.tif 000020
【図１９】
2019177925.tif 000021
【図２０】
2019177925.tif 000022
【図２１】
2019177925.tif 000023
【図２２】
2019177925.tif 000024
【図２３】
2019177925.tif 000025
【図２４】
2019177925.tif 000026
【図２５】
2019177925.tif 000027
【図２６】
2019177925.tif 000028
【図２７】
2019177925.tif 000029
【図２８】
2019177925.tif 000030